(57)【要約】【課題】  グレースケール画像を擬似的にカラー画像に変換する擬似カラー化画像処理システムを提供することを目的とする。【解決手段】  処理対象となるグレースケール画像情報の入力を受け付ける画像入力受付処理部と，グレースケール画像情報の色調補正処理を実行する入力画像色調補正処理部と，色調補正処理を行ったグレースケール画像情報における画像特徴量を用いて，画像特徴量ごとの画像情報を生成する空間画像生成処理部と，生成した各空間画像情報に対してそれぞれ対応する色を割り当て，合成することでカラー合成画像情報を生成するカラー合成処理部と，グレースケール画像情報と同じ分解能を有する画像情報とカラー合成画像情報とを用いて擬似カラー化画像情報を生成する高分解能化処理部と，を有する擬似カラー化画像処理システムである。【選択図】  図１
2015125498.tif 000002
【特許請求の範囲】
【請求項１】
グレースケール画像情報を擬似カラー化する擬似カラー化画像処理システムであって，
前記擬似カラー化画像処理システムは，
処理対象となるグレースケール画像情報の入力を受け付ける画像入力受付処理部と，
前記グレースケール画像情報の色調補正処理を実行する入力画像色調補正処理部と，
前記色調補正処理を行ったグレースケール画像情報における画像特徴量を用いて，画像特徴量ごとの画像情報を生成する空間画像生成処理部と，
前記生成した各空間画像情報に対してそれぞれ対応する色を割り当て，合成することでカラー合成画像情報を生成するカラー合成処理部と，
前記グレースケール画像情報と同じ分解能を有する画像情報と前記カラー合成画像情報とを用いて擬似カラー化画像情報を生成する高分解能化処理部と，
を有することを特徴とする擬似カラー化画像処理システム。
【請求項２】
前記空間画像生成処理部は，
前記色調補正処理を行ったグレースケール画像情報に基づいてコントラスト強調画像情報を生成するコントラスト強調画像生成処理部と，
前記コントラスト強調画像情報を用いてテクスチャ画像情報を生成するテクスチャ画像生成処理部と，
前記コントラスト強調画像情報に基づいてエントロピー画像情報を生成するエントロピー画像生成処理部と，
前記コントラスト強調画像情報に基づいてエネルギー画像情報を生成するエネルギー画像生成処理部と，を備えており，
前記カラー合成処理部は，
前記生成したエネルギー画像情報，テクスチャ画像情報，エントロピー画像情報に対してそれぞれ対応する色を割り当て，合成することでカラー合成画像情報を生成する，
ことを特徴とする請求項１に記載の擬似カラー化画像処理システム。
【請求項３】
前記カラー合成処理部は，
前記エネルギー画像情報について赤色，前記テクスチャ画像情報について緑色，前記エントロピー画像情報について青色を割り当て，合成する，
ことを特徴とする請求項２に記載の擬似カラー化画像処理システム。
【請求項４】
前記カラー合成処理部は，
さらに前記コントラスト強調画像情報に対しても対応する色を割り当て，
前記エネルギー画像情報についてシアン，前記テクスチャ画像情報についてマゼンダ，前記エントロピー画像情報についてイエロー，前記コントラスト強調画像情報について黒を割り当て，合成する，
ことを特徴とする請求項２に記載の擬似カラー化画像処理システム。
【請求項５】
グレースケール画像情報を擬似カラー化する擬似カラー化画像処理システムであって，
前記擬似カラー化画像処理システムは，
処理対象となるグレースケール画像情報の入力を受け付ける画像入力受付処理部と，
前記グレースケール画像情報に基づいて着色処理された画像情報と，前記グレースケール画像情報と同じ分解能を有する画像情報とを用いて擬似カラー化画像情報を生成する高分解能化処理部と，
を有することを特徴とする擬似カラー化画像処理システム。
【請求項６】
前記擬似カラー化画像処理システムは，
前記生成した擬似カラー化画像情報に対する色調補正処理の入力を受け付ける，または色調補正処理を実行することで出力画像を生成する出力画像色調補正処理部，
を有することを特徴とする請求項１から請求項５のいずれかに記載の擬似カラー化画像処理システム。
【請求項８】
前記グレースケール画像情報は，
単偏波観測による合成開口レーダで撮像した画像情報である，
ことを特徴とする請求項１から請求項７のいずれかに記載の擬似カラー化画像処理システム。
【請求項９】
コンピュータを，
処理対象となるグレースケール画像情報の入力を受け付ける画像入力受付処理部，
前記グレースケール画像情報の色調補正処理を実行する入力画像色調補正処理部，
前記色調補正処理を行ったグレースケール画像情報における画像特徴量を用いて，画像特徴量ごとの画像情報を生成する空間画像生成処理部，
前記生成した各空間画像情報に対してそれぞれ対応する色を割り当て，合成することでカラー合成画像情報を生成するカラー合成処理部，
前記グレースケール画像情報と同じ分解能を有する画像情報と前記カラー合成画像情報とを用いて擬似カラー化画像情報を生成する高分解能化処理部，
として機能させることを特徴とする擬似カラー化画像処理プログラム。
【請求項１０】
コンピュータを，
処理対象となるグレースケール画像情報の入力を受け付ける画像入力受付処理部，
前記グレースケール画像情報に基づいて着色処理された画像情報と，前記グレースケール画像情報と同じ分解能を有する画像情報とを用いて擬似カラー化画像情報を生成する高分解能化処理部，
として機能させることを特徴とする擬似カラー化画像処理プログラム。
【請求項１１】
グレースケール画像情報に基づいて擬似カラー化画像情報を生成する擬似カラー化画像情報の生成方法であって，
コンピュータにおいて，
処理対象となるグレースケール画像情報の入力を受け付けるステップと，
前記グレースケール画像情報の色調補正処理を実行するステップと，
前記色調補正処理を行ったグレースケール画像情報における画像特徴量を用いて，画像特徴量ごとの画像情報を生成するステップと，
前記生成した各空間画像情報に対してそれぞれ対応する色を割り当て，合成することでカラー合成画像情報を生成するステップと，
前記グレースケール画像情報と同じ分解能を有する画像情報と前記カラー合成画像情報とを用いて擬似カラー化画像情報を生成するステップと，を実行することで前記擬似カラー化画像情報を生成する，
ことを特徴とする擬似カラー化画像情報の生成方法。
【請求項１２】
グレースケール画像情報に基づいて擬似カラー化画像情報を生成する擬似カラー化画像情報の生成方法であって，
コンピュータにおいて，
処理対象となるグレースケール画像情報の入力を受け付けるステップと，
前記グレースケール画像情報に基づいて着色処理された画像情報と，前記グレースケール画像情報と同じ分解能を有する画像情報とを用いて擬似カラー化画像情報を生成するステップと，を実行することで前記擬似カラー化画像情報を生成する，
ことを特徴とする擬似カラー化画像情報の生成方法。
【発明の詳細な説明】
【技術分野】
【０００１】
本発明は，グレースケール画像を擬似的にカラー画像に変換する擬似カラー化画像処理システムに関する。
【背景技術】
【０００２】
グレースケール画像により撮像をした場合，被写体が白から黒に至るグレーのドットの集合体によって表現される。そのため，撮像した画像を見るユーザが不慣れな場合，何が写されているのか，よく分からない場合がある。とくに合成開口レーダによって地表を観測する場合，一般的に用いられる単偏波観測において，地表の観測データはグレースケール画像で表現される。しかし，それを視認する一般のユーザは不慣れなため，何が写っているのかがよく分からない場合がある。
【０００３】
そこで一般のユーザがみる画像としてはカラー画像であることが望ましい。その方法として，カラー画像として撮像する手法と，グレースケール画像をカラー画像に変換する手法とがある。前者の手法の場合にはカラー画像が撮れる撮像装置や観測手法を用いればよい。合成開口レーダによる場合には，複数偏波観測と呼ばれる観測手法によってカラー画像を撮像できる。この場合，各偏波に対して色を割り当て，それを合成することでカラー画像として表示させる（非特許文献１乃至非特許文献６）。
【０００４】
また後者の手法の場合にはグレースケール画像の濃度分布に着目し，濃度分布に基づいてカラー画像に変換することができる。
【先行技術文献】
【非特許文献】
【０００５】
【非特許文献１】野中崇志，笹川正，浦塚清峰，梅原俊彦，佐竹誠，灘井章嗣，松岡建志，”航空機搭載合成開口レーダ（Ｐｉ−ＳＡＲ）の多周波／多偏波データを利用した地物判読”，先端測量技術９３号，インターネット＜ＵＲＬ：http://archive.sokugikyo.or.jp/pdf/apa93_2007_01/APA9305.pdf＞
【非特許文献２】独立行政法人宇宙航空研究開発機構，”ＰＡＬＳＡＲによる偏波観測”，インターネット＜ＵＲＬ：http://www.eorc.jaxa.jp/ALOS/img_up/jpal_polarization.htm＞
【非特許文献３】独立行政法人宇宙航空研究開発機構，”航空機搭載Ｌバンド合成開口レーダ２(Ｐｉ−ＳＡＲ−Ｌ２）による伊豆大島の台風２６号被害観測結果について，インターネット＜ＵＲＬ：http://www.eorc.jaxa.jp/ALOS/img_up/jdis_pisarl2_izuoshima_20131022.htm＞
【非特許文献４】独立行政法人宇宙航空研究開発機構，”陸域観測技術衛星「だいち」(ＡＬＯＳ)搭載のＬバンド合成開口レーダ(ＰＡＬＳＡＲ；パルサー)によるハイチ地震にともなう緊急観測（３）”，インターネット＜ＵＲＬ：http://www.eorc.jaxa.jp/ALOS/img_up/jdis_pal_haiti_100126.htm＞
【非特許文献５】独立行政法人宇宙航空研究開発機構，”「テラサー・エックス」（ＴｅｒｒａＳＡＲ−Ｘ）による新潟豪雨災害の観測結果”，インターネット＜ＵＲＬ：http://www.eorc.jaxa.jp/ALOS/img_up/jdis_terrasarx_niigata_jul2011.htm＞
【非特許文献６】日本スペースイメージング株式会社，”震災から１年  ２０１２年１〜３月”，インターネット＜ＵＲＬ：http://www.spaceimaging.co.jp/EastJapanEarthquake/record_collection/one-year/cosmo_skymed/tabid/681/Default.aspx＞
【発明の概要】
【発明が解決しようとする課題】
【０００６】
前者の手法による場合，複数偏波観測によってカラー画像を撮影することができるが，撮像したカラー画像の分解能が，単偏波観測によって撮像したグレースケール画像の分解能よりも低くなるという問題点がある。とくに合成開口レーダによって地表を観測する場合，分解能が重視されると，複数偏波観測によるカラー画像は，視認性は向上するものの，分解能の低下という大きな欠点を抱えることとなる。
【０００７】
また後者の手法による場合，グレースケール画像に基づいて着色することはできるものの，自然な着色とまでは言えず，自然な画像にならないという問題点がある。そのため，却って視認性が低下する場合もあり得る。
【課題を解決するための手段】
【０００８】
本発明者は上記課題に鑑み，グレースケール画像に基づいて擬似カラー化処理を施すことで，自然な着色を施すことのできる擬似カラー化画像処理システムを発明した。
【０００９】
第１の発明は，グレースケール画像情報を擬似カラー化する擬似カラー化画像処理システムであって，前記擬似カラー化画像処理システムは，処理対象となるグレースケール画像情報の入力を受け付ける画像入力受付処理部と，前記グレースケール画像情報の色調補正処理を実行する入力画像色調補正処理部と，前記色調補正処理を行ったグレースケール画像情報における画像特徴量を用いて，画像特徴量ごとの画像情報を生成する空間画像生成処理部と，前記生成した各空間画像情報に対してそれぞれ対応する色を割り当て，合成することでカラー合成画像情報を生成するカラー合成処理部と，前記グレースケール画像情報と同じ分解能を有する画像情報と前記カラー合成画像情報とを用いて擬似カラー化画像情報を生成する高分解能化処理部と，を有する擬似カラー化画像処理システムである。
【００１０】
本発明の擬似カラー化画像処理システムを用いることで，グレースケール画像情報に基づいて擬似カラー化画像情報を生成することができる。その結果，ユーザの視認性を向上させることができる。
【００１１】
また，グレースケール画像情報から空間画像情報を用いてカラー画像を生成する場合に，一般的にはその分解能が低下してしまう。そこで本発明ではカラー画像と，もととなるグレースケール画像情報と同じ分解能を有する画像情報とを合成する処理を実行することで分解能を回復することができる。
【００１２】
上述のような処理はパンシャープン処理と呼ばれる。従来のパンシャープン処理では，分解能の異なる２つの画像情報を合成することで分解能を向上させる。たとえば，別々に撮像した分解能が１０メートルのカラー画像情報と，分解能が２．５メートルのグレースケール画像情報とを合成することで分解能が２．５メートルの分解能のカラー画像情報を擬似的に作っている。しかし，本願発明では，もともと一つのグレースケール画像情報に基づいてパンシャープン処理を実行している。当初のグレースケール画像情報が分解能が２．５メートルであった場合，この２．５メートルのグレースケール画像情報に基づいて，たとえば，分解能が１０メートルの擬似カラー化画像情報を生成する。そして，これら２つの画像情報を合成することで，分解能が２．５メートルの擬似カラー化画像情報を生成している。そのため，従来のパンシャープン処理では２つの異なる分解能の画像情報が必要であったが，本願発明を用いることによって，一つの画像情報で処理を実行できる。たとえば，従来であれば，同じ場所を撮像した分解能が１０メートルのカラー画像情報と，分解能が２．５メートルのグレースケール画像情報とが必要であった。しかし，本願発明によって，分解能が２．５メートルのグレースケール画像情報のみで処理が実現できる。
【００１３】
上述の発明において，前記空間画像生成処理部は，前記色調補正処理を行ったグレースケール画像情報に基づいてコントラスト強調画像情報を生成するコントラスト強調画像生成処理部と，前記コントラスト強調画像情報を用いてテクスチャ画像情報を生成するテクスチャ画像生成処理部と，前記コントラスト強調画像情報に基づいてエントロピー画像情報を生成するエントロピー画像生成処理部と，前記コントラスト強調画像情報に基づいてエネルギー画像情報を生成するエネルギー画像生成処理部と，を備えており，前記カラー合成処理部は，前記生成したエネルギー画像情報，テクスチャ画像情報，エントロピー画像情報に対してそれぞれ対応する色を割り当て，合成することでカラー合成画像情報を生成する，擬似カラー化画像処理システムのように構成することができる。
【００１４】
空間画像情報を生成するには，本発明のように処理を実行することができる。
【００１５】
上述の発明において，前記カラー合成処理部は，前記エネルギー画像情報について赤色，前記テクスチャ画像情報について緑色，前記エントロピー画像情報について青色を割り当て，合成する，擬似カラー化画像処理システムのように構成することができる。
【００１６】
空間画像情報を構成する各画像情報には，任意の色を割り当てることができるが，カラーモデルとしてＲＧＢ系を用いる場合には，本発明のように割り当てると，合成した画像情報が自然に近い着色となる。
【００１７】
上述の発明において，前記カラー合成処理部は，さらに前記コントラスト強調画像情報に対しても対応する色を割り当て，前記エネルギー画像情報についてシアン，前記テクスチャ画像情報についてマゼンダ，前記エントロピー画像情報についてイエロー，前記コントラスト強調画像情報について黒を割り当て，合成する，擬似カラー化画像処理システムのように構成することができる。
【００１８】
カラーモデルとしてＣＭＹＫ系を用いる場合には，本発明のように割り当てると，合成した画像情報が自然に近い着色となる。
【００１９】
第２の発明は，グレースケール画像情報を擬似カラー化する擬似カラー化画像処理システムであって，前記擬似カラー化画像処理システムは，処理対象となるグレースケール画像情報の入力を受け付ける画像入力受付処理部と，前記グレースケール画像情報に基づいて着色処理された画像情報と，前記グレースケール画像情報と同じ分解能を有する画像情報とを用いて擬似カラー化画像情報を生成する高分解能化処理部と，を有する擬似カラー化画像処理システムである。
【００２０】
本発明のように構成することで，第１の発明と同様の技術的効果を得ることができる。とくに，分解能を維持するパンシャープン処理について，一つの画像情報で処理を実行することができる。
【００２１】
上述の発明において，前記擬似カラー化画像処理システムは，前記生成した擬似カラー化画像情報に対する色調補正処理の入力を受け付ける，または色調補正処理を実行することで出力画像を生成する出力画像色調補正処理部，を有する擬似カラー化画像処理システムのように構成することができる。
【００２２】
生成した擬似カラー化画像情報について，さらに色調補正処理を施すことで，より自然に近い着色とすることができる。
【００２３】
上述の発明において，前記グレースケール画像情報は，単偏波観測による合成開口レーダで撮像した画像情報である，擬似カラー化画像処理システムのように構成することができる。
【００２４】
単偏波観測による合成開口レーダではグレースケール画像しか撮像できない。一方，複数偏波観測による合成開口レーダで撮像をした場合，分解能が低下してしまう。とくに合成開口レーダによる撮像の場合，通常の画像情報よりも分解能が重視されることがある。そうすると視認性がグレースケール画像よりも良いものの，複数偏波観測による合成開口レーダでの撮像を用いることは，不利である。そこで，分解能を維持したままグレースケール画像に基づいて擬似的なカラー画像を生成できるので，本発明は視認性の向上と分解能の維持という相反する点を解決することができる。
【００２５】
第１の発明は，本発明のプログラムをコンピュータで読み込むことで実現できる。すなわち，コンピュータを，処理対象となるグレースケール画像情報の入力を受け付ける画像入力受付処理部，前記グレースケール画像情報の色調補正処理を実行する入力画像色調補正処理部，前記色調補正処理を行ったグレースケール画像情報における画像特徴量を用いて，画像特徴量ごとの画像情報を生成する空間画像生成処理部，前記生成した各空間画像情報に対してそれぞれ対応する色を割り当て，合成することでカラー合成画像情報を生成するカラー合成処理部，前記グレースケール画像情報と同じ分解能を有する画像情報と前記カラー合成画像情報とを用いて擬似カラー化画像情報を生成する高分解能化処理部，として機能させる擬似カラー化画像処理プログラムである。
【００２６】
また第２の発明は，本発明のプログラムをコンピュータで読み込むことで実現できる。すなわち，コンピュータを，処理対象となるグレースケール画像情報の入力を受け付ける画像入力受付処理部，前記グレースケール画像情報に基づいて着色処理された画像情報と，前記グレースケール画像情報と同じ分解能を有する画像情報とを用いて擬似カラー化画像情報を生成する高分解能化処理部，として機能させる擬似カラー化画像処理プログラムである。
【００２７】
本発明の画像生成方法をコンピュータで実行することで，グレースケール画像情報に基づいて擬似カラー化画像情報を生成することができる。すなわち，グレースケール画像情報に基づいて擬似カラー化画像情報を生成する擬似カラー化画像情報の生成方法であって，コンピュータにおいて，処理対象となるグレースケール画像情報の入力を受け付けるステップと，前記グレースケール画像情報の色調補正処理を実行するステップと，前記色調補正処理を行ったグレースケール画像情報における画像特徴量を用いて，画像特徴量ごとの画像情報を生成するステップと，前記生成した各空間画像情報に対してそれぞれ対応する色を割り当て，合成することでカラー合成画像情報を生成するステップと，前記グレースケール画像情報と同じ分解能を有する画像情報と前記カラー合成画像情報とを用いて擬似カラー化画像情報を生成するステップと，を実行することで前記擬似カラー化画像情報を生成する，擬似カラー化画像情報の生成方法である。
【００２８】
本発明の画像生成方法をコンピュータで実行することで，グレースケール画像情報に基づいて擬似カラー化画像情報を生成することができる。すなわち，グレースケール画像情報に基づいて擬似カラー化画像情報を生成する擬似カラー化画像情報の生成方法であって，コンピュータにおいて，処理対象となるグレースケール画像情報の入力を受け付けるステップと，前記グレースケール画像情報に基づいて着色処理された画像情報と，前記グレースケール画像情報と同じ分解能を有する画像情報とを用いて擬似カラー化画像情報を生成するステップと，を実行することで前記擬似カラー化画像情報を生成する，擬似カラー化画像情報の生成方法である。
【発明の効果】
【００２９】
本発明の擬似カラー化画像処理システムを用いることによって，撮像する画像はグレースケール画像であるが，ユーザには視認性の高いカラー画像（擬似カラー画像）を提供することができる。これによってユーザの視認性を向上させることができる。また，グレースケール画像に基づいて空間画像情報を用いて擬似カラー化画像を生成する場合，分解能が落ちることが一般的であるが，本発明の場合には分解能を落とすことがない。そのため，特に合成開口レーダで単偏波観測を行う場合のように，分解能が重視される場合に効果を発揮する。
【図面の簡単な説明】
【００３０】
【図１】本発明の擬似カラー化画像処理システムのシステム構成の一例を模式的に示す概念図である。
【図２】本発明の擬似カラー化画像処理システムにおける空間画像生成処理部の構成の一例を模式的に示す概念図である。
【図３】本発明の擬似カラー化画像処理システムを機能させるコンピュータのハードウェア構成の一例を模式的に示す概念図である。
【図４】本発明の擬似カラー化画像処理システムの処理プロセスの一例を模式的に示すフローチャートである。
【図５】入力画像となる単偏波観測による合成開口レーダ画像情報の一例を模式的に示す図である。
【図６】コントラスト強調画像情報の一例を模式的に示す図である。
【図７】平均画像情報の一例を模式的に示す図である。
【図８】標準偏差画像情報の一例を模式的に示す図である。
【図９】テクスチャ画像情報の一例を模式的に示す図である。
【図１０】エントロピー画像情報の一例を模式的に示す図である。
【図１１】エネルギー画像情報の一例を模式的に示す図である。
【図１２】カラー合成画像情報の一例を模式的に示す図である。
【図１３】擬似カラー化画像情報の一例を模式的に示す図である。
【図１４】出力画像情報の一例を模式的に示す図である。
【図１５】出力画像情報と光学情報とを対比的に示す図である。
【発明を実施するための形態】
【００３１】
本発明の擬似カラー化画像処理システム１のシステム構成の一例の概念図を図１および図２に示す。擬似カラー化画像処理システム１は，本システムを利用する企業などが利用するサーバやパーソナルコンピュータ，可搬型通信端末などの各種のコンピュータで起動する。図３にコンピュータのハードウェア構成の一例を示す。
【００３２】
コンピュータは，プログラムの演算処理を実行するＣＰＵなどの演算装置７０と，情報を記憶するＲＡＭやハードディスクなどの記憶装置７１と，ディスプレイなどの表示装置７２と，キーボードやポインティングデバイス（マウスやテンキーなど）などの入力装置７３と，演算装置７０の処理結果や記憶装置７１に記憶する情報をインターネットやＬＡＮなどのネットワークを介して送受信する通信装置７４とを有している。
【００３３】
なお，図１ではコンピュータが一台のコンピュータで実現される場合を示したが，複数台のコンピュータにその機能が分散配置され，実現されても良い。また，本発明における各手段は，その機能が論理的に区別されているのみであって，物理上あるいは事実上は同一の領域を為していても良い。
【００３４】
擬似カラー化画像処理システム１は，画像入力受付処理部１０と入力画像色調補正処理部１１と空間画像生成処理部１２とカラー合成処理部１３と高分解能化処理部１４と出力画像色調補正処理部１５と表示処理部１６とを有する。
【００３５】
画像入力受付処理部１０は，本発明の擬似カラー化画像処理システム１を用いて擬似カラー化の処理を行う対象となるグレースケール画像情報の入力を受け付ける。
【００３６】
入力画像色調補正処理部１１は，画像入力受付処理部１０で入力を受け付けたグレースケール画像情報に対して，色調の補正処理を実行する。色調補正処理としては，たとえばガンマ補正処理を実行する。ガンマ補正処理に用いるガンマ補正係数は，あらかじめ表示装置７２に表示されるグレースケール画像情報などに基づいて設定されていればよい。
【００３７】
空間画像生成処理部１２は，入力画像色調補正処理部１１で色調補正処理が実行された画像情報における画像統計量を用いて空間画像情報を生成する。空間画像生成処理部１２は，コントラスト強調画像生成処理部１２０とテクスチャ画像生成処理部１２１とエントロピー画像生成処理部１２２とエネルギー画像生成処理部１２３とを有する。空間画像情報とは，後述するテクスチャ画像情報，エントロピー画像情報，エネルギー画像情報を含み，場合によってはコントラスト強調画像情報も含む。
【００３８】
コントラスト強調画像生成処理部１２０は，入力画像色調補正処理部１１で色調補正処理が実行された画像情報を用いて，コントラスト強調画像情報を生成する。コントラスト強調画像情報の生成処理にあたっては，画像情報のすべての画素に対して，処理対象となる画素の周辺８画素の値から統計量を算出することで実行する。たとえば，色調補正処理が実行された画像情報に対して，画素単位で数１のように処理を行う。コントラストの値は，任意領域内のヒストグラムが高いレベルに偏っていれば大きな値を示すこととなる。
【数１】
2015125498.tif 000003
なお，ｌは画素値，Ｌは画素値の取り得る値の数（たとえば８ビットだとすると２５６），Ｐ（ｌ）は，周辺８画素における画素値ｌの出現率である。
【００３９】
テクスチャ画像生成処理部１２１は，コントラスト強調画像生成処理部１２０で生成したコントラスト強調画像情報を用いて，テクスチャ画像情報を生成する。テクスチャ画像情報を生成する場合には，コントラスト強調画像情報に基づいて平均画像情報，標準偏差画像情報を生成し，画素単位で平均画像情報を標準偏差画像情報で除算することで生成する。
【００４０】
平均画像情報の生成は，コントラスト強調画像情報に対して画素単位で数２のように処理を行う。平均の値では濃度レベルの平均を示す。
【数２】
2015125498.tif 000004
【００４１】
また，標準偏差画像情報の生成は，コントラスト強調画像情報に対して画素単位で数３のように処理を行う。標準偏差の値では任意領域内で平均値から離れた画素が多く存在すれば大きな値を示すこととなる。
【数３】
2015125498.tif 000005
【００４２】
そしてテクスチャ画像生成処理部１２１は，生成した平均画像情報と標準偏差画像情報について，画素単位で除算をすることでテクスチャ画像を生成する（数４）。テクスチャの値は，画像の粗さを示している。
【数４】
2015125498.tif 000006
【００４３】
エントロピー画像生成処理部１２２は，入力画像色調補正処理部１１で色調補正処理が実行された画像情報を用いて，エントロピー画像情報を生成する。エントロピー画像情報の生成処理にあたっては，画像情報のすべての画素に対して，処理対象となる画素の周辺８画素の値から数５のように処理を行うことで実行する。エントロピーの値は，領域内に多くの濃度レベルの画素が存在していると大きな値を示すこととなる。
【数５】
2015125498.tif 000007
【００４４】
エネルギー画像生成処理部１２３は，入力画像色調補正処理部１１で色調補正処理が実行された画像情報を用いて，エネルギー画像情報を生成する。エネルギー画像情報の生成処理にあたっては，画像情報のすべての画素に対して，処理対象となる画素の周辺８画素の値から数６のように処理を行うことで実行する。エネルギーの値は，領域内の画素が特定の濃度レベルに集中していると大きな値を示すこととなる。
【数６】
2015125498.tif 000008
【００４５】
カラー合成処理部１３は，空間画像生成処理部１２で生成した各空間画像情報に対して色を割り当て，それらを一つの画像情報（カラー合成画像情報）として合成する。たとえばＲＧＢ系のカラーモデルを用いる場合，エネルギー画像情報に対して赤色，テクスチャ画像情報に対して緑色，エントロピー画像情報に対して青色を割り当てると，自然なカラー画像となる。そしてこれらの画像情報を一つの画像情報として合成し，カラー合成画像情報を生成する。
【００４６】
また，ＣＭＹＫ系のカラーモデルを用いる場合，エネルギー画像情報に対してシアン，テクスチャ画像情報に対してマゼンダ，エントロピー画像情報に対してイエロー，コントラスト強調画像情報に対して黒を割り当てると，自然なカラー画像となる。そしてこれらの画像情報を一つの画像情報として合成し，カラー合成画像情報を生成する。
【００４７】
なおカラー合成処理についてはカラーモデルとしてＲＧＢ系，ＣＭＹＫ系について一例を説明したが，ほかのカラーモデルを使用してもよい。またその場合，各色に対して各画像を適宜，割り当てればよい。
【００４８】
高分解能化処理部１４は，カラー合成処理部１３で生成したカラー合成画像情報と，入力画像色調補正処理部１１で色調補正処理が実行された画像情報（画像入力受付処理部１０で入力を受け付けた画像情報と同じ分解能を有する画像であればよい）とを合成することで，カラー合成画像情報の高分解能化処理を実行する。この際には，たとえばパンシャープン処理を用いる。
【００４９】
具体的には，カラー合成画像情報の新規レイヤーとして，入力画像色調補正処理部１１で色調補正処理が実行された画像情報（あるいは画像入力受付処理部１０で入力を受け付けた画像情報）を読み込む。つぎにカラー合成画像情報のレイヤーと新規レイヤーとを輝度合成する。そして，カラー合成画像情報と新規レイヤーに読み込んだ画像情報とを一つの画像情報（擬似カラー化画像情報）として合成する。
【００５０】
出力画像色調補正処理部１５は，高分解能化処理部１４で生成した擬似カラー化画像情報に対して，同じ場所を撮像した光学画像情報（カラー画像）と比較するなどの方法により，自然な色に近づくように色調補正を行い，出力画像とする。この際に，担当者が目視により色調補正を行い，その入力を受け付けてもよいし，擬似カラー化画像情報と光学画像情報との色調を自動的に比較することで色調補正を実行してもよい。
【００５１】
表示処理部１６は，出力画像色調補正処理部１５で色調補正処理が終了した出力画像を，表示装置７２などで表示させる。
【００５２】
つぎに本発明の擬似カラー化画像処理システム１の処理プロセスを図４のフローチャートを用いて説明する。なおカラーモデルとしてはＲＧＢ系を用いた場合を説明するが，ＣＭＹＫ系あるいはほかのカラーモデルを用いても実現できる。また，単偏波観測による合成開口レーダ画像情報に対して擬似カラー化処理を行う場合を説明するが，ほかのグレースケール画像情報であっても同様に処理を実現できる。
【００５３】
擬似カラー化処理を行う処理対象とする合成開口レーダ画像情報を選択し，その入力を画像入力受付処理部１０で受け付ける（Ｓ１００）。たとえば処理対象とする合成開口レーダ画像情報の一例を図５に示す。
【００５４】
Ｓ１００で入力を受け付けた合成開口レーダ画像情報に対して，入力画像色調補正処理部１１がガンマ補正処理を実行し（Ｓ１１０），色調を補正する。なおＳ１１０の処理が実行された画像情報を色調補正後画像情報と呼ぶ。
【００５５】
Ｓ１１０において色調補正処理を実行後，空間画像生成処理部１２は，Ｓ１２０乃至Ｓ１５０の処理を実行することにより空間画像情報を生成する。
【００５６】
まず，コントラスト強調画像生成処理部は，色調補正後画像情報の各画素に対して，その周辺８画素の値から数１により統計量を算出し，コントラスト強調画像情報を生成する（Ｓ１２０）。コントラスト強調画像情報の一例を図６に示す。
【００５７】
そしてテクスチャ画像生成処理部１２１は，Ｓ１２０で生成したコントラスト強調画像情報の各画素に対して，その周辺８画素の値から数２により統計量を算出し，平均画像情報を生成する。平均画像情報の一例を図７に示す。また同様に，数３により統計量を算出し，標準偏差画像情報を生成する。標準偏差画像情報の一例を図８に示す。
【００５８】
そしてテクスチャ画像生成処理部１２１は，平均画像情報と標準偏差画像情報とを用いて，数４によりテクスチャ画像情報を生成する（Ｓ１３０）。テクスチャ画像情報の一例を図９に示す。
【００５９】
エントロピー画像生成処理部１２２は，Ｓ１２０で生成した色調補正後画像情報の各画素に対して，その周辺８画素の値から数５により統計量を算出し，エントロピー画像情報を生成する（Ｓ１４０）。エントロピー画像情報の一例を図１０に示す。
【００６０】
また，エネルギー画像生成処理部１２３は，Ｓ１２０で生成した色調補正後画像情報の各画素に対して，その周辺８画素の値から数６により統計量を算出し，エネルギー画像情報を生成する（Ｓ１５０）。エネルギー画像情報の一例を図１１に示す。
【００６１】
なお，空間画像生成処理部１２におけるＳ１３０乃至Ｓ１５０は任意の順番で処理の実行が可能である。
【００６２】
以上の処理によって空間画像情報（ここではＲＧＢ系のカラーモデルなのでテクスチャ画像情報，エントロピー画像情報，エネルギー画像情報）が生成できると，カラー合成処理部１３は，テクスチャ画像情報に対して緑色，エネルギー画像情報に対して赤色，エントロピー画像情報に対して青色を割り当て，これらの画像を一つのカラー合成画像情報に合成する（Ｓ１６０）。カラー合成画像情報の一例を図１２に示す。
【００６３】
そして高分解能化処理部１４では，Ｓ１６０で生成したカラー合成画像情報に対してＳ１１０における色調補正後画像情報を合成することで，図１３に示すように擬似カラー化画像情報を生成する（Ｓ１７０）。
【００６４】
擬似カラー化画像情報を生成すると，出力画像色調補正処理部１５において，担当者による色調補正処理の入力を受け付け，出力画像情報として生成する（Ｓ１８０）。出力画像情報を図１４に示す。そして表示処理部１６では生成した画像情報を表示装置７２などで出力処理する（Ｓ１９０）。
【００６５】
以上のような処理を実行することで光学画像に近い擬似カラー化処理が施された出力画像情報を得ることができる。図１５に出力画像情報と光学画像情報との比較を示す。図１５（ａ）が出力画像情報であり，図１５（ｂ）が光学画像情報である。また図５がもととなるグレースケール画像情報であるが，図５と比較して図１５（ａ）の出力画像の視認性が向上していることが理解できる。
【産業上の利用可能性】
【００６６】
本発明の擬似カラー化画像処理システム１を用いることによって，撮像する画像はグレースケール画像であるが，ユーザには視認性の高いカラー画像（擬似カラー画像）を提供することができる。これによってユーザの視認性を向上させることができる。また，グレースケール画像に基づいて空間画像情報を用いて擬似カラー化画像を生成する場合，分解能が落ちることが一般的であるが，本発明の場合には分解能を落とすことがない。そのため，特に合成開口レーダで単偏波観測を行う場合のように，分解能が重視される場合に効果を発揮する。
【符号の説明】
【００６７】
１：擬似カラー化画像処理システム
１０：画像入力受付処理部
１１：入力画像色調補正処理部
１２：空間画像生成処理部
１３：カラー合成処理部
１４：高分解能化処理部
１５：出力画像補正処理部
１６：表示処理部
７０：演算装置
７１：記憶装置
７２：表示装置
７３：入力装置
７４：通信装置
１２０：コントラスト強調画像生成処理部
１２１：テクスチャ画像生成処理部
１２２：エントロピー画像生成処理部
１２３：エネルギー画像生成処理部
【図１】
2015125498.tif 000009
【図２】
2015125498.tif 000010
【図３】
2015125498.tif 000011
【図４】
2015125498.tif 000012
【図５】
2015125498.tif 000013
【図６】
2015125498.tif 000014
【図７】
2015125498.tif 000015
【図８】
2015125498.tif 000016
【図９】
2015125498.tif 000017
【図１０】
2015125498.tif 000018
【図１１】
2015125498.tif 000019
【図１２】
2015125498.tif 000020
【図１３】
2015125498.tif 000021
【図１４】
2015125498.tif 000022
【図１５】
2015125498.tif 000023